(57)【特許請求の範囲】
【請求項１】
解体される建物を取り囲んで養生するための養生囲いにおいて、
上記建物を両側から挟んで取り囲む側壁部と、該建物の頂部を覆う天井部とを備え、両端に開口部が設けられた養生囲い体と、
一方の上記開口部に上記建物を入り込ませながら、上記養生囲い体を上記建物の解体方向に沿って移動させる移動手段とを備え、
上記解体方向は、上記建物の桁行き方向であり、
上記養生囲い体の内方に上記建物の上記桁行き方向の端部が配置されるとともに、上記一方の開口部側から上記建物が延出するように上記養生囲い体が配置され、
上記一方の開口部では、上記建物の側壁と上記養生囲い体の側壁部との隙間が覆い部で塞がれることを特徴とする養生囲い。
【請求項２】
上記側壁部と上記天井部との少なくとも一方に配置され、その両端縁部にそれぞれ養生囲い体内方に臨ませて送気口と吸引口とを配置させた集塵装置とを備え、
上記吸引口が上記建物側に、上記送気口がその反対側に、それぞれ配置されており、
上記建物側に設けられた上記吸引口から粉塵を含む空気を吸い込み、粉塵を取り除かれた空気が上記送気口から上記養生囲い体内に排出されるよう構成されていることを特徴とする請求項１に記載の養生囲い。
【請求項３】
養生囲いで建物を取り囲んで解体するに際して、
上記建物の適宜位置に、該建物をその両側から挟んで取り囲む側壁部と、該建物の頂部を覆う天井部とを備え、両端に開口部が設けられた養生囲い体を設置し、
一方の上記開口部に上記建物を入り込ませながら、上記養生囲い体を上記建物の解体方向に沿って順次移動させつつその内部で該建物を解体する解体方法であって、
上記解体方向は、上記建物の桁行き方向であり、
上記養生囲い体の内方に上記建物の上記桁行き方向の端部が配置されるとともに、上記一方の開口部側から上記建物が延出するように上記養生囲い体が配置され、
上記一方の開口部では、上記建物の側壁と上記養生囲い体の側壁部との隙間が覆い部で塞がれることを特徴とする解体工法。
【発明の詳細な説明】
【０００１】
【発明の属する技術分野】
この発明は、中低層建物の解体工事の際に発生する騒音、粉塵の拡散を防止する養生囲い及びこの養生囲いを用いた解体工法に関する。
【０００２】
【従来の技術】
建物は一般的に近隣にビルが林立している市街地に構築される場合が多く、その建物を解体する場合には、その解体工事によって発生する騒音や粉塵による隣接ビル等への影響を考慮して解体工事を進める必要がある。そこで、解体により生ずる騒音や粉塵の拡散を防止するための養生囲いとして、地上から解体する建物の外周に足場を組み、その足場を防音パネル等で囲った養生囲いが用いられている。
【０００３】
【発明が解決しようとする課題】
しかしながら、従来の養生囲いでは、建物の周囲は囲っているものの、上方については何ら覆うものがなく開放されているため、解体時に発生する騒音や粉塵が上方から周囲に拡散するという問題があった。
【０００４】
また、建物の周囲を全周に亘って囲む必要が有るため、特に桁行き方向に長い建物を解体する場合には、それを取り囲むための大量の足場資材及び防音パネルが必要であるとともに、その足場の組立解体作業も大掛かりになり多くの費用と時間を費やさなければならないという課題があった。
【０００５】
そこで、本発明はかかる従来の課題に鑑みて、建物解体時に発生する騒音や粉塵の上方への拡散を効率よく防止するとともに、少ない資材で短時間に組み立て設置可能な養生囲い及びこの養生囲いを用いた解体工法を提供することを目的とする。
【０００６】
【課題を解決するための手段】
かかる目的を達成するために本発明の養生囲いは、解体される建物を取り囲んで養生するための養生囲いにおいて、
上記建物を両側から挟んで取り囲む側壁部と、該建物の頂部を覆う天井部とを備え、両端に開口部が設けられた養生囲い体と、
一方の上記開口部に上記建物を入り込ませながら、上記養生囲い体を上記建物の解体方向に沿って移動させる移動手段とを備え、
上記解体方向は、上記建物の桁行き方向であり、
上記養生囲い体の内方に上記建物の上記桁行き方向の端部が配置されるとともに、上記一方の開口部側から上記建物が延出するように上記養生囲い体が配置され、
上記一方の開口部では、上記建物の側壁と上記養生囲い体の側壁部との隙間が覆い部で塞がれることを特徴とする。
【０００７】
また、上記側壁部と上記天井部との少なくとも一方に配置され、その両端縁部にそれぞれ養生囲い体内方に臨ませて送気口と吸引口とを配置させた集塵装置とを備え、
上記吸引口が上記建物側に、上記送気口がその反対側に、それぞれ配置されており、
上記建物側に設けられた上記吸引口から粉塵を含む空気を吸い込み、粉塵を取り除かれた空気が上記送気口から上記養生囲い体内に排出されるよう構成されていることとしてもよい。
【０００８】
また、養生囲いで建物を取り囲んで解体するに際して、
上記建物の適宜位置に、該建物をその両側から挟んで取り囲む側壁部と、該建物の頂部を覆う天井部とを備え、両端に開口部が設けられた養生囲い体を設置し、
一方の上記開口部に上記建物を入り込ませながら、上記養生囲い体を上記建物の解体方向に沿って順次移動させつつその内部で該建物を解体する解体方法であって、
上記解体方向は、上記建物の桁行き方向であり、
上記養生囲い体の内方に上記建物の上記桁行き方向の端部が配置されるとともに、上記一方の開口部側から上記建物が延出するように上記養生囲い体が配置され、
上記一方の開口部では、上記建物の側壁と上記養生囲い体の側壁部との隙間が覆い部で塞がれることを特徴とする。
【００１７】
【発明の実施の形態】
以下、本願発明の一実施形態を添付図面に基づいて詳細に説明する。
図１は、本願発明の養生囲いの外観を示す斜視図であり、図２は図１におけるＡ矢視図である。
【００１８】
図１に示すように、本実施形態の養生囲い１０は、桁行き方向に長い低層建物５０の桁行き方向の一端部を内部に収容可能な大きさを有する養生囲い体１２と、この養生囲い体１２を解体方向に移動させる移動手段２０と、この養生囲い体１２の下方に位置し建物５０を挟みつつその桁行き方向に沿って地上に設けられる一対のレール１４とで構成されている。
【００１９】
上記養生囲い体１２は、建物５０より高い高さを有する一対の側壁部１２ａとその上端部を覆う天井部１２ｂとが二層立体トラスで構成されてトンネル状を成している。
【００２０】
即ち、対をなす側壁部１２ａは、建物５０の梁間方向の幅より広く離間され、その内側に建物５０を挟むように配置され、その上端部には、天井部１２ｂが架け渡されて固定されている。
【００２１】
そして、上記側壁部１２ａと上記天井部１２ｂとの外周には防音パネル１２ｃが全面に取り付けられている。
【００２２】
さらに、図２に示すようにトンネル状の養生囲い体１２の両端には、その上側部分が垂れ壁１６ａによって覆われ、その下側部分に開口部１２ｄが設けられている。また、垂れ壁１６ａの下端部には、梁間方向の中央部で分割されて開閉自在な防塵カーテン１６ｂが吊り下げられて開口部１２ｄの覆い部１６を成している。
【００２３】
そして、この養生囲い体１２の内方には、建物５０の桁行き方向の端部が配置されるとともに、垂れ壁１６ａの下側に形成された両端開口部１２ｄのうち一方の開口部１２ｄ側からその建物５０が延出するように養生囲い体１２が配置されている。
【００２４】
このとき、上記建物５０側の開口部１２ｄでは、建物５０の側壁と養生囲い体１２の側壁部１２ａとの隙間は防塵カーテン１６ｂで塞がれている。また、建物５０と反対側の開口部１２ｄも、通常覆い部１６を成す防塵カーテン１６ｂで覆われているが、この防塵カーテン１６ｂを必要に応じて開放し、重機５４の搬入搬出や廃材５２の搬出口となるように構成されている。
【００２５】
また、側壁部１２ａ下端部には、この養生囲い体１２の移動手段２０としてモータを動力とする駆動手段によって回転可能な複数のローラ２２が設けられている。
【００２６】
一方、上記レール１４は複数繋ぎ合わされて、養生囲い体１２の側壁部１２ａの幅より充分長い長さを有し、このレール１４には、その長手方向に沿って、ローラ２２が入り込んでガイドされつつ回転移動する溝部１４ａが設けられている。
【００２７】
そして、建物５０の桁行き方向の端部が養生囲い体１２内に配置される状態でレール１４が養生囲い体１２の下方に位置するように設置され、さらに、解体方向に延ばされて基礎に設置されている。
【００２８】
即ち、このレール１４の溝部１４ａに上記ローラ２２が入り込んでガイドされつつ回転移動することによって、養生囲い体１２が建物５０の桁行き方向に移動する。
【００２９】
前記側壁部１２ａと天井部１２ｂとには、図３に示すように集塵装置２４が設けられている。この集塵装置２４はサイクロン集塵機２４ｂと、これと連結されて桁行き方向を指向する２本の通気管２４ａとを有し、各通気管２４ａの両端部に吸引口２４ｃと送気口２４ｄとがそれぞれ設けられている。
【００３０】
そして、この集塵装置２４は、その吸引口２４ｃと送気口２４ｄとを側壁部１２ａと天井部１２ｂとの両端縁部にそれぞれ養生囲い体１２内方に臨ませて、側壁部１２ａと天井部１２ｂとを構成している立体トラスに取り付けられ、上記開口部１２ｄの一方から養生囲い体１２内に建物５０の端部が入り込んでいる状態では、吸引口２４ｃが建物５０側に、送気口２４ｄがその反対側に配置されている。
【００３１】
即ち、建物５０側に設けられた吸引口２４ｃから吸い込まれた粉塵を含む空気は通気管２４ａからサイクロン集塵機２４ｂに達し、粉塵を取り除かれた空気が通気管２４ａを通って送気口２４ｄから養生囲い体１２内に排出される。
【００３２】
また、天井部１２ｂに設けられる吸引口２４ｃ及び送気口２４ｄは梁間方向の立体トラスに沿って建物５０の幅より広く設けられ、側壁部１２ａに設けられる吸引口２４ｃ及び送気口２４ｄは建物５０より高い位置から下方向に立体トラスに沿って長く設けられている。
【００３３】
そして、上記養生囲い１０を用いた建物５０の解体工事は、次に示す手順で行う。
【００３４】
先ず、解体する建物５０の桁行き方向に指向して、地上面に上記レール１４を設置する。
【００３５】
一方、側壁部１２ａと天井部１２ｂとからなる養生囲い体１２を構築し、その両端の建物５０の高さより高い部分を垂れ壁１６ａを設けて覆うとともに、その養生囲い体１２の下端のローラ２２を上記レール１４の溝部１４ａに入り込ませつつ、養生囲い体１２をその内部に建物５０の桁行き方向の端部が位置するように配置する。
【００３６】
そして、建物５０側開口部１２ｄの防塵カーテン１６ｂを建物５０の側壁に接する位置まで閉じて、その開口部１２ｄを塞ぐ。
【００３７】
次に、建物５０と反対側の開口部１２ｄから解体用の重機５４を搬入するとともに作業員も入り込み、集塵装置２４を動作させて、養生囲い体１２内に散水しつつ解体工事を行う。
【００３８】
解体工事が進み、養生囲い体１２内の建物５０が解体されてなくなるにつれて、養生囲い体１２を建物５０の未解体側にレール１４に沿って移動させ、解体工事を順次進めていく。このとき、レール１４は解体方向に順次継ぎ足すか、あるいは盛り替えして解体方向に延ばしていく。
【００３９】
また、解体工事の進行に伴って、養生囲い体１２内部に溜まっていく廃材５２は、解体工事を進める一方で、建物５０と反対側の開口部１２ｄの防塵カーテン１６ｂを適宜開放して、外部に搬出していく。
【００４０】
以上の構成により本実施形態の養生囲い１０では、建物５０の解体工事の際に解体する建物５０の端部を覆う養生囲い体１２に建物５０の上方をも覆う天井部１２ｂを設けたので、解体時に発生する騒音や粉塵の上方への拡散を防止することができる。
【００４１】
また、上記養生囲い１０に移動手段をなす駆動手段を有するローラ２２を設けて解体方向に養生囲い体１２を移動可能にしたので、解体作業の進行に応じて養生囲い体１２を解体箇所に容易に移動させることができる。即ち、養生囲い体１２は、建物５０全体を覆う必要がなく、解体箇所のみを部分的に覆うだけ大きさがあればよいので、養生囲い体１２を形成する資材の量を大幅に低減させるとともに、その組立作業に費やす時間を大幅に削減することができ、さらに、その養生囲い体１２の移動の際には養生囲い体１２を分解組立する必要がなく解体作業の進行に応じて解体箇所にスムーズに移動させることができ作業時間を短縮することができる。
【００４２】
また、養生囲い体１２を形成する側壁部１２ａの両端に形成される開口部１２ｄを塞ぐことによって解体作業で発生する騒音や粉塵の拡散を防止できることは勿論のこと、養生囲い体１２内部に建物５０の一端部のみが配置され、上記開口部１２ｄの一方の側からその建物５０が延出している状態であっても、その開口部１２ｄにおける建物５０と養生囲い体１２との隙間を覆い部１６で塞ぐとともに、他方の開口部１２ｄを覆い部１６で塞いでその解体によって発生する騒音や粉塵の拡散を防ぐことができる。
【００４３】
また、上記他方の開口部１２ｄを部分的に開放して、その解体によって発生した廃材５２を解体作業を邪魔することなく搬出することができる。
【００４４】
また、養生囲い体１２内の解体する建物５０側に吸引口２４ｃを設け反対側に送気口２４ｄを有するサイクロン集塵機２４ｂを設けたので、その吸引口２４ｃから吸引した養生囲い体１２内の粉塵を含む空気からサイクロン集塵機２４ｂによって粉塵を取り除き、外部への粉塵の拡散を抑えることができる。さらに、その粉塵の取り除かれた空気が建物５０とは反対側に設けられた送気口２４ｄから養生囲い体１２内に送気されるので、養生囲い体１２内には建物５０の反対側から建物５０側に向かって空気の流れが発生し、建物５０側に向かって解体していく作業者側には粉塵の含まれた空気が送られず、作業者にも害のない作業環境を確保することができる。
【００４５】
本実施形態において、建物５０と反対側に送気口２４ｄを設けた形態について説明したが、送気口２４ｄは必ずしも設ける必要はなく、吸引口２４ｃから吸引した粉塵を含む空気をサイクロン集塵機２４ｂを通して、直接養生囲い体１２外に排出する形態でもよい。
【００４６】
また、集塵装置２４の吸引口２４ｃと送気口２４ｄとを養生囲い体１２の側壁部１２ａと天井部１２ｂとの両端縁部の立体トラスに沿ってそれぞれ配置したので、解体作業エリアに集塵装置２４が大きく張り出すことなく、広い作業スペースを確保することができる。
【００４７】
さらに、建物５０の解体部分を部分的に養生囲い体１２で覆うとともに、解体方向と同じ方向に養生囲い体１２を移動させて解体工事を進めていくので、建物５０を端から順次解体していくことができるので、効率よく解体作業をすることができる。
【００４８】
本実施形態においては、養生囲い体１２を設置する場所を建物５０の端部としたが、これに限らず建物５０の中途部分でも構わない。
【００４９】
また、本実施形態において側壁部１２ａと天井部１２ｂとを覆った防音パネル１２ｃは防音シート等でもよく、集塵装置はサイクロン集塵機２４ｂに限るものではない。
【００５０】
また、本実施形態では、移動手段２０として養生囲い体１２のローラ２２が、レール１４上に載置されて、その溝部１４ａにガイドされつつ回転移動する形態を示したが、これに限らずローラ２２が地面上を回転移動するとともに、養生囲い体１２に別途設けたガイド部がレール１４によって案内される形態でもよい。さらに、養生囲い体１２とは別にウインチを設けて、ウインチと養生囲い体１２とをワイヤで繋いでウインチでワイヤを巻き取ることによって移動させるものでもよい。
【００５１】
【発明の効果】
以上説明したように、本発明によれば、建物側の開口部から騒音や粉塵が拡散することを防止しつつ、建物を桁行き方向の一方側から順次解体していくことが可能となる。
【図面の簡単な説明】
【図１】本発明の実施形態の養生囲いの外観を示す斜視図である。
【図２】図１に示すＡ矢視図である。
【図３】本発明の実施形態の養生囲いに設けられた集塵装置の配置を示す概略図であり、（ａ）は正面図（ｂ）は平面図である。
【符号の説明】
１０  養生囲い
１２  養生囲い体
１２ａ  側壁部
１２ｂ  天井部
１２ｃ  防音パネル
１２ｄ  開口部
１４  レール
１４ａ  溝部
１６  覆い部
１６ａ  垂れ壁（固定部）
１６ｂ  防塵カーテン（移動部）
２０  移動手段
２２  ローラ
２４  集塵装置
２４ａ  通気管
２４ｂ  サイクロン集塵機
２４ｃ  吸引口
２４ｄ  送気口
５０  建物
【図１】
0004114276.tif 000002
【図２】
0004114276.tif 000003
【図３】
0004114276.tif 000004